(57)【要約】【課題】購買処理がなされることで作動する課金作動装置１０に付帯するモバイル機器用充電器が、簡易な構成の追加によって、その課金作動装置１０の作動時間に亘って利用できるように設置されたモバイル機器用充電器付き課金作動装置を提供する。【解決手段】モバイル機器６０の充電を行うことができるモバイル機器用充電器付き課金作動装置１０であって、購買処理がなされることによって購買信号を出力する購買信号出力部２０と、前記購買信号に基づいて、所要時間に亘って課金作動装置１０を作動状態とするためと、モバイル機器用充電器３０を使用可能状態とするためのタイマー信号を出力するタイマー制御部４０と、モバイル機器用充電器３０の電気配線３１に配され、前記タイマー信号によってモバイル機器用充電器３０を使用可能状態とするように作動するリレー５０とを備える。【選択図】図１
0003233198.tif 000002
【実用新案登録請求の範囲】
【請求項１】
課金に対する購買処理がなされることで所要時間に亘って作動する課金作動装置に、モバイル機器用充電器を付帯することで、モバイル機器の充電を行うことができるモバイル機器用充電器付き課金作動装置であって、
前記購買処理がなされることによって購買信号を出力する購買信号出力部と、
前記購買信号に基づいて、所要時間に亘って前記課金作動装置を作動状態とするためと、前記モバイル機器用充電器を使用可能状態とするためのタイマー信号を出力するタイマー制御部と、
前記モバイル機器用充電器の電気配線に配され、前記タイマー信号によって前記モバイル機器用充電器を使用可能状態とするように作動するリレーとを備えることを特徴とするモバイル機器用充電器付き課金作動装置。
【請求項２】
前記タイマー制御部は、前記課金作動装置の制御部によって構成されていることを特徴とする請求項１記載のモバイル機器用充電器付き課金作動装置。
【請求項３】
前記課金作動装置がマッサージチェアであることを特徴とする請求項１又は２記載のモバイル機器用充電器付き課金作動装置。
【請求項４】
前記モバイル機器が携帯電話であることを特徴とする請求項１〜３のいずれかに記載のモバイル機器用充電器付き課金作動装置。
【請求項５】
前記購買信号出力部がコイン投入部によって構成され、購買処理が該コイン投入部にコインが投入されることでなされ、該コイン投入部が投入されたコインを検知して前記購買信号を出力するように設けられ、前記課金作動装置が作動状態となっている際に、前記タイマー信号によってコインが投入されることを禁止するように作動するコインブロッカーが前記コイン投入部に設けられていることを特徴とする請求項１〜４のいずれかに記載のモバイル機器用充電器付き課金作動装置。
【考案の詳細な説明】
【技術分野】
【０００１】
この考案は、課金に対する購買処理がなされることで所要時間に亘って作動する課金作動装置に、モバイル機器用充電器を付帯することで、モバイル機器の充電を行うことができるモバイル機器用充電器付き課金作動装置及びマッサージチェアに関する。
【背景技術】
【０００２】
従来、携帯電話機用充電電力自動販売機としては、筐体の前面部に設けられた硬貨投入口から入れられる定額の硬貨を受け入れて、硬貨投入信号を出力する硬貨受入れ手段と、携帯電話機の充電端子に接続される接続電極と、この接続電極に充電電力を供給する急速充電回路と、この急速充電回路の直流電力入力端子に接続される蓄電池と、この直流電力入力端子に接続される外部直流電力供給端子と、上記硬貨投入信号を受けて一定時間を計時するタイマー回路と、このタイマー回路の計時時間中、携帯電話機に充電が行なわれるように上記急速充電回路に指令を出す制御手段と、上記筐体の前面部に設けられ、携帯電話機が充電状態にあることを外部に知らせる充電表示ランプ６とを有する（特許文献１参照）ものが提案されている。
【０００３】
また、マッサージチェアの作動制御システムとしては、動作制御手段を備えるマッサージチェア本体と、動作制御手段に接続されて設けられたネットワークユニットと、ネットワークユニットの複数と携帯電話網によって通信できると共に、インターネット網に接続されているホストサーバーと、マッサージチェア本体に付属するように配され、マッサージチェア本体に係る識別情報等を表示するＱＲコード（登録商標）と、ＱＲコード（登録商標）を読み込んで通信するように、インターネット網に接続する携帯電話と、携帯電話からの前記識別情報等を受けて、キャッシュレス決済を行うようにインターネット網に接続されているキャッシュレス決済会社サーバーとを備える（特許文献２参照）ものが、本出願人によって提案されている。
【先行技術文献】
【特許文献】
【０００４】
【特許文献１】特開２０００−１２３２４６号公報（第１頁）
【特許文献２】特開２０２１−９６６１号公報（第１頁）
【考案の概要】
【考案が解決しようとする課題】
【０００５】
モバイル機器用充電器付き課金作動装置に関して解決しようとする問題点は、課金式業務用のマッサージチェアやコインランドリーの洗濯機のような課金作動装置と、コインタイマー式充電器のような携帯電話機用充電電力自動販売機とは、それぞれが提案されているが、課金作動装置の機能を基本にしてモバイル機器用充電器の機能を備える形態のものが提案されていない点にある。
【０００６】
そこで本考案の目的は、購買処理がなされることで作動する課金作動装置に付帯するモバイル機器用充電器が、簡易な構成の追加によって、その課金作動装置の作動時間に亘って利用できるように設置されたモバイル機器用充電器付き課金作動装置を提供することにある。
【課題を解決するための手段】
【０００７】
本考案は、上記目的を達成するために次の構成を備える。
本考案に係るモバイル機器用充電器付き課金作動装置の一形態によれば、課金に対する購買処理がなされることで所要時間に亘って作動する課金作動装置に、モバイル機器用充電器を付帯することで、モバイル機器の充電を行うことができるモバイル機器用充電器付き課金作動装置であって、前記購買処理がなされることによって購買信号を出力する購買信号出力部と、前記購買信号に基づいて、所要時間に亘って前記課金作動装置を作動状態とするためと、前記モバイル機器用充電器を使用可能状態とするためのタイマー信号を出力するタイマー制御部と、前記モバイル機器用充電器の電気配線に配され、前記タイマー信号によって前記モバイル機器用充電器を使用可能状態とするように作動するリレーとを備える。
【０００８】
本考案に係るモバイル機器用充電器付き課金作動装置の一形態によれば、前記タイマー制御部は、前記課金作動装置の制御部によって構成されていることを特徴とすることができる。
【０００９】
本考案に係るモバイル機器用充電器付き課金作動装置の一形態によれば、前記課金作動装置がマッサージチェアであることを特徴とすることができる。
【００１０】
本考案に係るモバイル機器用充電器付き課金作動装置の一形態によれば、前記モバイル機器用充電器が携帯電話であることを特徴とすることができる。
【００１１】
本考案に係るモバイル機器用充電器付き課金作動装置の一形態によれば、前記購買信号出力部がコイン投入部によって構成され、購買処理が該コイン投入部にコインが投入されることでなされ、該コイン投入部が投入されたコインを検知して前記購買信号を出力するように設けられ、前記課金作動装置が作動状態となっている際に、前記タイマー信号によってコインが投入されることを禁止するように作動するコインブロッカーが前記コイン投入部に設けられていることを特徴とすることができる。
【考案の効果】
【００１２】
本考案に係るモバイル機器用充電器付き課金作動装置によれば、購買処理がなされることで作動する課金作動装置に付帯するモバイル機器用充電器を、簡易な構成の追加によって、その課金作動装置の作動時間に亘って利用できるように設置できるという特別有利な効果を奏する。
【図面の簡単な説明】
【００１３】
【図１】本考案に係るモバイル機器用充電器付き課金作動装置の形態例を示すブロック図である。
【図２】本考案に係るモバイル機器用充電器付き課金作動装置による動作状態の関係例を示すタイムチャート図である。
【考案を実施するための形態】
【００１４】
以下、本考案に係るモバイル機器用充電器付き課金作動装置の形態例を、添付図面（図１及び２）に基づいて詳細に説明する。
【００１５】
本考案に係るモバイル機器用充電器付き課金作動装置は、課金に対する購買処理がなされることで所要時間に亘って作動する課金作動装置１０に、モバイル機器用充電器３０を付帯することで、モバイル機器６０の充電を行うことができるものである。
【００１６】
本形態例では、課金作動装置１０がマッサージチェアであり、コインが投入されることによって所要時間に亘って作動されるそのマッサージチェア１０に付帯してモバイル機器６０の充電を行うことができるものになっている。また、本形態例では、モバイル機器６０が、その一例として携帯電話６０になっており、複数種のコネクタ３２が並列に用意されている。
【００１７】
また、２０は購買信号出力部であり、課金に対する購買処理がなされることで購買信号を出力するように設けられている。本形態例では、この購買信号出力部２０として、投入されたコインを検知してコイン検知信号（購買信号）を出力するコイン投入部２０が設けられているが、本考案はこれに限定されるものではなく、例えば特許文献２で開示されているように、キャッシュレス決済に基づいて購買信号を出力する作動制御システムなど、既知の他の構成によって設けることができるものである。
【００１８】
また、４０はタイマー制御部であり、前記購買信号（本形態例ではコイン検知信号）に基づいて、所要時間に亘って課金作動装置１０を稼働状態とするためと、前記モバイル機器用充電器を使用可能状態とするためのタイマー信号を出力するように設けられている。このタイマー制御部４０は、課金作動装置１０の制御部によって構成することができ、新たな制御装置を追加することなく簡易にシステムを構築できる。
【００１９】
そして、本考案では、モバイル機器用充電器３０の電気配線３１に配され、前記タイマー信号によってモバイル機器用充電器３０を使用可能状態とするように作動するリレー５０が設けられている。本形態例では、モバイル機器用充電器３０のケーブル（電気配線３１）の先端にコネクタ３２が設けられており、モバイル機器（携帯電話）６０の接続端子に接続できるように構成されている。
【００２０】
これによれば、購買処理がなされることで作動する課金作動装置１０に付帯するモバイル機器用充電器３０を、簡易な構成の追加によって、その課金作動装置１０の作動時間に亘って利用できるように設置できるという特別有利な効果を奏する。
【００２１】
また、本形態例では、購買信号出力部２０がコイン投入部２０によって構成され、購買処理がそのコイン投入部２０にコインが投入されることでなされ、そのコイン投入部２０が投入されたコインを検知して購買信号を出力するように設けられ、課金作動装置１０が作動状態となっている際に、前記タイマー信号によってコインが投入されることを禁止するように作動するコインブロッカーがコイン投入部２０に設けられている。これによれば、課金作動装置１０の作動時のコイン飲みを確実に禁止できる。
【００２２】
そのコインブロッカーと、モバイル機器用充電器３０の動作制御の関係を、図２にタイムチャートで示してある。図２に示すように、課金作動装置（マッサージチェア）１０が作動状態となっている際に、モバイル機器用充電器３０は使用可能状態（オン）になり、コイン投入部２０ではコインブロッカーによってコインが投入されることを防止される状態（オフ）になる。また、課金作動装置（マッサージチェア）１０が作動しない際に、モバイル機器用充電器３０は不使用状態（オフ）になり、コイン投入部２０ではコインが投入されることが許容されるコイン受入可能状態（オン）になる。そして、電源（１００Ｖ−ＡＣ）がオフ状態になった場合及びマッサージチェア１０が故障した場合は、モバイル機器用充電器３０及びコインブロッカーの両者がオフの状態を維持するように制御されることになる。
【００２３】
本考案に係る課金作動装置１０とは、本形態例に示したようなに限定されるものではなく、例えばコインランドリーやコイン精米機など、コインの投入やキャッシュレス決済などによって、設定された所要の時間について作動する機械装置を広く含むものである。本考案によれば、それらの装置の利用者は、それらの装置が作動している待ち時間を有効に使って、モバイル機器の充電をすることができ、その利便性を高めることができる。  
【００２４】
また、本考案に係るモバイル機器６０とは、本形態例に示したような携帯電話６０の充電に限定されるものではなく、例えばノートパソコン、タブレット型端末などの携帯端末や、デジタルカメラ、ウェアラブルデバイスなどの携帯できる電子機器を含むものであり、本考案のモバイル機器用充電器３０は、それらの機器の充電に広く適用できるものである。
【００２５】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２６】
１０  課金作動装置（マッサージチェア）
２０  購買信号出力部（コイン投入部）
３０  モバイル機器用充電器
３１  電気配線
３２  コネクタ
４０  タイマー制御部
５０  リレー
６０  モバイル機器（携帯電話）
【図１】
0003233198.tif 000003
【図２】
0003233198.tif 000004